(57)【要約】【課題】  ボックスカルバートの接合部において取付、止水が確実で、土砂の流入を阻止できる弾性継手の提供とその取付方法を提供する。【解決手段】  函体外周面に隣接するプレート部とプレート部の端部に設置され、函体外周面に形成された細溝に嵌合される固定部とプレート部から突設された脚部基端の塊状本体部から構成されている弾性継手と、その弾性継手を上下または左右に分割し、コーナー部付近の脚部を切除し、近接した函体を突合せて接合する。【選択図】    図６
2005200832.tif 000002
【特許請求の範囲】
【請求項１】
函体外周面に隣接するプレート部と、プレート部の端部に設置され、函体外周面に形成された細溝に嵌合される固定部とプレート部から突設された脚部および脚部基端の塊状本体部から構成されていることを特徴とするボックスカルバートの弾性継手。
【請求項２】
プレート部と脚部とでＴ形断面をなす請求項１記載のボックスカルバートの弾性継手。
【請求項３】
プレート部と脚部とでＬ形断面をなす請求項１記載のボックスカルバートの弾性継手。
【請求項４】
函体コーナー部付近に位置する箇所の脚部を切除してある請求項１〜３記載のボックスカルバートの弾性継手。
【請求項５】
弾性継手を上下または左右に分割し、コーナー部付近の脚部を切除し、近接した函体を突合せて接合するボックスカルバートの取付方法。
【発明の詳細な説明】
【技術分野】
【０００１】
この発明はボックスカルバートの弾性継手とその取付方法に関するものである。
【背景技術】
【０００２】
従来の弾性継手としては、例えば、ＣＲゴム材などで形成しており、プレキャスト樋門の各函体とした各ボックスカルバートの間の接合部に設けるものが知られている。そして、この弾性継手は、接合部の変形による接触で、各ボックスカルバートの接合部が損傷してしまうことを防止することにより、各ボックスカルバートの接合部を変形できるようにした柔構造のプレキャスト樋門としている。
【０００３】
そして土砂の浸入を防止する継手として特許文献１の発明が提案された。この弾性継手の設置方法では函体外周面に設置された弾性継手が脱落する恐れがあった。
【特許文献１】特願２００２−２０２２３３号
【発明の開示】
【発明が解決しようとする課題】
【０００４】
従来の弾性継手では、各ボックスカルバートの各函体の相対変位で生じる接合部の目開きによって、各ボックスカルバートの接合部への土砂の浸入を防止することができない。そして、この浸入した土砂は、接合部の曲げや剪断力による変形性能を損なう原因となる。そのため、この土砂の浸入を防ぐためとして、従来では、各ボックスカルバートの各函体の接合部の外周面に、別途、耐圧プレートを設置している。しかし、この耐圧プレートの設置は、施工現場での作業が多く、作業性のみならず安全性や品質について多くの課題を残していた。特に、底版部に設置する場合は、弾性継手の自重変形により所定位置から脱落し、セットすることが難しかった。
【課題を解決するための手段】
【０００５】
函体外周面に隣接するプレート部と、プレート部の端部に設置され、函体外周面に形成された細溝に嵌合される固定部とプレート部から突設された脚部および脚部基端の塊状本体部から構成されている。そしてプレート部と脚部とでＴ形断面をなすか、またはＬ形断面をなしており、函体コーナー部付近に位置する箇所の脚部を切除してある弾性継手である。
【０００６】
ボックスカルバートへの取付方法に際しては弾性継手を上下または左右に分割し、接合部付近の脚部を切除し、近接した函体を突合せて接合する。
【発明の効果】
【０００７】
函体外周面に設置された細溝にプレート部の端部を勘合させて、特願２００２−２０２２３３の弾性継手の設置方法においては函体を接合する時に、弾性継手が脱落する恐れがあったが、この発明では、正確に所定位置に設置することができる。
【０００８】
函体と弾性継手の接続に接着剤を使用することなく接合可能となった。
【０００９】
製造現場及び施工現場での弾性継手の取付け作業が大幅に短縮できる。
【００１０】
函体に弾性継手を装着するのに接着剤を使用しないため接着剤の硬化時間を待つ必要がなく、作業時間が大幅に短縮できる。
【発明を実施するための最良の形態】
【００１１】
この発明での弾性継手は、ボックスカルバートＢの函体の接合部に設けている弾性材Ａの止水部１と、各ボックスカルバートの外周面に接合部を覆うように設けている弾性材の土砂浸入阻止用のゴム製耐土圧プレート部２(以下プレート部２という)を備えている。そして、プレート部２は、ボックスカルバートの函体の外周面に沿って配設されて接合部を覆っている板状の本体と、この本体から接合部内に延びる脚部３とから断面略Ｔ字状に形成されている。
【００１２】
コーナー隅角部に位置する脚部３を切除し、符号Ｃで示す空隙を形成し、函体外周部に沿って弾性継手が変形し易い形状とした。ゴム材が脱落しないようにボックスカルバート外周面に連続した細い溝を設け、プレート部２の片方の固定部４をその溝部に挿入する方法を考えた。
【００１３】
また、止水部１は、プレート部の脚部３に一体形成している。このようなこの発明によれば、弾性継手として止水部とプレート部とを一体形成し、接合部の変形で生じる各ボックスカルバートの接触による接合部の損傷を防止するための弾性継手と、土砂の流入を阻止する耐圧プレートとを一体化した状態の構造としたことにより、弾性継手の止水性能と、弾性継手の変形性能すなわち接合部の変形への追随性を向上させることができる。
【００１４】
また、この発明の弾性継手では、固定部を有したプレート部の本体と止水部１を有する脚部とから、断面略Ｔ字状又は略Ｌ字状に形成されているので、各ボックスカルバートの間の接合部へのセットを容易に行うことができる。
【００１５】
別案としてプレート部２をＬ字形（図３）参照としてボックスカルバートの引寄せを容易にする。
【００１６】
別案として土砂浸入防止部分であるプレート部を設置する函体外周部は、凹部を設けない場合もある。すなわちゴム材は函体の外周面より突出して設置される場合もあり、この場合は、函体下部にスペーサー５を設置して敷設する。
【００１７】
取付けに際しては上下又は左右２分割とし、下部の弾性継手を施工現場敷設前に設置する。
【００１８】
図１は接続方法の概要を示したもので（ａ）は上下に分割した弾性継手をボックスカルバートに取付け及び接続方法を示した図である。
【００１９】
（ｂ）は外側四隅が円弧形状したボクスカルバートに、上下に分割した弾性継手を取付けた図であり、（ｃ）はボックスカルバートに環状の弾性継手を取付けた図である。
【００２０】
図５は、施工現場での取付方法を示す。
【００２１】
（ａ）は、施工現場で最初に敷設されたボックスカルバートＢを示した。最初に敷設されるボックスカルバートＢは，弾性継手の下部のみを事前に設置している。なお、プレート部外面は、ボックスカルバート外面より突出しているのでボックスカルバート下面と基礎コンクリートの間にスペーサー５を設置した。
【００２２】
（ｂ）は、（ａ）で敷設を完了したボックスカルバートａに２０ｃｍ程度離して、（ａ）と同様にボックスカルバートＢの敷設を行う。ただし（ｂ）で敷設したボックスカルバートＢをスペーサー５上で滑動させるため、スペーサー設置位置は滑動後の位置を予定して設置する。
【００２３】
（ｃ）は、敷設したボックスカルバートＢをスペーサー５上で滑動させ、弾性継手が、ボックスカルバートに概ね嵌合していることを確認しながらボックスカルバートＢに接近（３０〜６０ｍｍの間隔）させる。
【００２４】
（ｄ）は、ボックスカルバートに弾性継手の上部を設置し、ボックスカルバートＢ，Ｂの間隙を作業空間として上下に分割されていた弾性継手Ａ，Ａを接合して一体化する。その後、レバーブロック、油圧ジャッキ等を用いてボックスカルバートに引き込む。
【００２５】
上下又は左右２分割した弾性継手の接合は位置函体接合部付近の脚部を切除し、弾性継手を突合せによる接着または加硫接合を行うように分割した弾性継手が接合される箇所に位置する函体接合面の一部に予め凹部を設置し、作業空間を確保している。凹部は、接着または加硫接合完了後、防水モルタル等で閉塞する。
【００２６】
近接された函体同士は、ＰＣ鋼材６等を使用して緊張し、弾性継手を所定の圧縮変形した状態で接合し固定する。
【００２７】
各函体の接合部分は、ＰＣ鋼材によって緊張され、接合部分に配置された弾性継手が弾性圧縮変形を保った状態で連続した構造物を構築する。この構造物は、不動沈下等の地盤の変形に追随するとともに、接合部に目開きが発生した場合にも、弾性継手が目開き量に追随して圧縮状態から復元する為、止水性を確保することが可能となる。    
【図面の簡単な説明】
【００２８】
【図１】(ａ),(ｂ),(ｃ)は弾性継手を取付けたボックスカルバートの正面図である。
【図２】継手部の詳細断面図である。
【図３】他の実施例の断面図である。
【図４】他の実施例の断面図である。
【図５】施工手順の概要図である。
【図６】コーナー部の詳細図である。
【符号の説明】
【００２９】
１…止水部、２…プレート部、３…脚部、４…固定部、５…スペーサー、６…ＰＣ鋼棒、Ａ…弾性継手、Ｂ…ボックスカルバート、Ｃ空隙
【図１】
2005200832.tif 000003
【図２】
2005200832.tif 000004
【図３】
2005200832.tif 000005
【図４】
2005200832.tif 000006
【図５】
2005200832.tif 000007
【図６】
2005200832.tif 000008
【手続補正書】
【提出日】平成16年1月14日(2004.1.14)
【手続補正２】
【補正対象書類名】明細書
【補正対象項目名】００１９
【補正方法】変更
【補正の内容】
【００１９】
（ｂ）は外側四隅が円弧形状したボックスカルバートに、上下に分割した弾性継手を取付けた図であり、（ｃ）はボックスカルバートに環状の弾性継手を取付けた図である。